(57)【要約】  【課題】  仮設トイレの設置や撤収における作業容易性の向上及び運搬性や収納性の向上。  【解決手段】  汚物通過孔２１が形成された載置板２と、当該載置板２をその汚物通過孔２１がマンホールＭにおける開口部Ｍ１の直上に位置するように支持する支持脚３とを含み、当該支持脚３は、載置板２に対し収納状態及び支持状態に切り替え可能に装備され、仮設トイレ１の使用時には、前記支持脚３を支持状態にして、前記マンホールＭの開口部Ｍ１に対し当該開口部Ｍを跨ぐように設置する。  【選択図】図１
2007006955.tif 000002
【特許請求の範囲】
【請求項１】
汚物通過孔が形成された載置板と、当該載置板をその汚物通過孔がマンホールにおける開口部の直上に位置するように支持する支持脚とを含み、当該支持脚は、載置板に対し収納状態及び支持状態に切り替え可能に装備され、仮設トイレ使用時には、前記支持脚を支持状態にして、前記マンホールの開口部に対し当該開口部を跨ぐように設置する仮設トイレ。
【請求項２】
設トイレの使用時において載置板の下回りを開閉可能に塞ぐ閉塞板を含み、当該閉塞板は、載置板に対し収納状態及び支持状態に切り替え可能に装備されている請求項１に記載の仮設トイレ。
【請求項３】
記閉塞板が支持脚を兼用している請求項２に記載の仮設トイレ。
【請求項４】
記載置板における汚物通過孔に、可撓性を有し、且つ水透性が無い素材からなるガイドチューブが吊り下げられてなり、当該ガイドチューブは、その下半部を上半部の内側に挿入するように折り返して二重構造にされ、その折り返し端部を下端とする一方、ガイドチューブの両端部が内外で二重にされた他端部を上端として、当該他端部を汚物通過孔に貫通させるとともに、当該汚物通過孔周りの載置板の表面に固着して吊り下げていて、このガイドチューブの回収時には、当該ガイドチューブの他端部における内側端部の固定を外して引き上げながら二重構造を解除した上で、外側端部の固定を外して回収するようにしている請求項１乃至請求項３いずれか１項に記載の仮設トイレ。
【請求項５】
記ガイドチューブの素材は、廃棄物としての処理容易性の向上のため、第５発明では生分解性樹脂材からなるガイドチューブとしている請求項４に記載の仮設トイレ。
【請求項６】
記載置板に便座が固定状又は着脱可能に備えられている請求項１乃至請求項５いずれか１項に記載の仮設トイレ。
【発明の詳細な説明】
【技術分野】
【０００１】
本発明は、災害時や緊急時等の比較的短期間に使用される仮設トイレに関する。
【背景技術】
【０００２】
災害時や緊急時等の比較的短期間に使用される仮設トイレの先行技術文献情報として、例えば、下記特許文献１が有る。
この仮設トイレは、下水用マンホールを利用したものであり、マンホールの蓋に相当する蓋部材上に便器(洋式及び和式)が取り付けられていて、当該便器の排水孔と前記蓋部材に開孔された落し穴とが連通し、更に、排水孔には、汚物をマンホール内へ案内するガイドチューブを前記落し穴を貫通してマンホール内に吊り下げてなるものである。
【特許文献１】特開２００２−１０９４７号公報(段落〔０００６〕〜〔００１１〕図１〜図４)
【発明の開示】
【発明が解決しようとする課題】
【０００３】
しかしながら、例示した特許文献１の仮設トイレは、前記蓋部材上に成型品である便器を固定状にとりつけるものであるため、重量的にも大きさ的にも取付けや取り外し、更には、運搬や収納という点について不利である。
【０００４】
そこで、本発明は、仮設トイレの設置や撤収における作業容易性の向上及び運搬性や収納性の向上を課題とし、この課題を解決した簡易トイレの提供を目的とする。
更に、本発明は、前記課題に加えて汚物をマンホール内に案内するガイドチューブの回収性の向上を課題とし、この課題を解決した簡易トイレの提供を目的とする。
【課題を解決するための手段】
【０００５】
本発明は、前記目的を達成するため、下記の技術的手段を採用した。
第１発明は、汚物通過孔が形成された載置板と、当該載置板をその汚物通過孔がマンホールにおける開口部の直上に位置するように支持する支持脚とを含み、当該支持脚は、載置板に対し収納状態及び支持状態に切り替え可能に装備され、仮設トイレ使用時には、前記支持脚を支持状態にして、前記マンホールの開口部に対し当該開口部を跨ぐように設置する仮設トイレにした。
また、第２発明として、仮設トイレの使用時において載置板の下回りを開閉可能に塞ぐ閉塞板を含み、当該閉塞板は、載置板に対し収納状態及び支持状態に切り替え可能に装備されている仮設トイレにした。
また、第３発明として、前記閉塞板が支持脚を兼用している仮設トイレにした。
そして第４発明は、前記載置板における汚物通過孔に、可撓性を有し、且つ水透性が無い素材からなるガイドチューブが吊り下げられてなり、当該ガイドチューブは、その下半部を上半部の内側に挿入するように折り返して二重構造にされ、その折り返し端部を下端とする一方、ガイドチューブの両端部が内外で二重にされた他端部を上端として、当該他端部を汚物通過孔に貫通させるとともに、当該汚物通過孔周りの載置板の表面に固着して吊り下げていて、このガイドチューブの回収時には、当該ガイドチューブの他端部における内側端部の固定を外して引き上げながら二重構造を解除した上で、外側端部の固定を外して回収するようにしている仮設トイレにした。
前記ガイドチューブの素材は、廃棄物としての処理容易性の向上のため、第５発明では生分解性樹脂材からなるガイドチューブとする仮設トイレにした。
また、第６発明として、前記載置板に便座が固定状又は着脱可能に備えられている仮設トイレにした。
【発明の効果】
【０００６】
本発明によれば、下記の優れた効果が期待できる。
第１発明によれば、支持脚を収納することによって、仮設トイレをコンパクトにすることができ、支持脚を支持状態にしてマンホールの開口部に対し当該開口部を跨ぐように設置することによって、仮設トイレを使用状態にできる。
したがって、仮設トイレの設置や撤収における作業容易性の向上及び運搬性や収納性の向上が実現できる。
また、第２発明によれば、閉塞板で載置板の下回りを閉塞することによって、汚物落下孔から落下する汚物やマンホールの開口部周りに飛び散った汚物を隠すことができ、その上、閉塞板を収納することによって、仮設トイレをコンパクトにすることができる。
また、第３発明によれば、前記閉塞板が支持脚を兼用しているので、汚物を隠すことができる上に、仮設トイレの設置や撤収における作業容易性の向上及び運搬性や収納性の更なる向上が期待できる。
また、第４発明によれば、ガイドチューブを二重構造にしたことによって、汚物は内側に位置するチューブの内面にのみ付着し、内側上端部を引き上げて二重構造を解除した際には、ガイドチューブの下半部の内面に汚物の付着が無く、あるいは、ほとんど付着していない。
すなわち、ガイドチューブの回収時において汚物が付着している面が、およそ二重構造を解除したガイドチューブの全長の半分になるので、そのガイドチューブの回収作業において作業者に対する汚物の付着や不快感を低減することができる。
また、第５発明によれば、使用済みのガイドチューブの廃棄処理において、自然に分解されるので、廃棄物による環境破壊の低減という点について効果的である。
また、第６発明によれば、前記載置板に便座が固定状又は着脱可能に備えられているので、男性用(大小便兼用)・女性用にも使用でき、その上、便座は、その厚みがそれほど厚くないので、固定状であっても収納性や設置性、運搬性等についても良好であり、着脱可能な構造であれば、その収納性についてより良好となるものと期待できる。
【発明を実施するための最良の形態】
【０００７】
以下、本発明の仮設トイレを実施するための最良の形態を図面に基づいて説明する。
図中符号１は仮設トイレ、符号２は載置板、符号３は支持脚、符号４は閉塞板、符号５はガイドチューブ、符号６は便座、符号Ｍはマンホールである。
なお、本形態における仮設トイレ１は、折り畳みテントＴで囲まれて個室状態を保っているものであるが、この固執状態を保つ手段として例示する折り畳みテントＴに限定するものではない。
【０００８】
仮設トイレ１は、載置板２と、支持脚３と、閉塞板４と、ガイドチューブ５と、便座６とから構成されている。
載置板２は、平面長方形状に形成され、その上面に便座６の開放部６１と連通状とする汚物通過孔２１が形成されている。
また、載置板２の周縁には、側壁２２が垂下状に形成されていて、当該載置板２を略逆向き容器状に形成することに、載置板２の裏面側に支持脚３の収納空間Ｓを確保している。
【０００９】
支持脚３は、前記収納空間Ｓの各コーナー部に折り畳み自在に軸支されていて、仮設トイレ１の使用時に立設し、非使用時に折り畳んで収納空間Ｓ内に収納される。
また、支持脚３は、夫々載置板２の縁に沿うように折り畳まれれて収納される。
【００１０】
閉塞板４は、前記側壁２２の先端部に折り畳み可能に軸支されていて、仮設トイレ１の使用時には支持脚３の外側で立設されて載置板２の下回りを閉塞し、非使用時には収納空間Ｓを塞ぐように折り畳まれる。
また、閉塞板４は、上下方向の高さが、使用時における仮設トイレ１の前記側壁２２の先端から地面Ｇまでの高さと略同高、且つ側壁２２の左右方向の全長と略同長とする長方形状の板状態のものである。
また、前記支持脚３と閉塞板４の立設時に対向する部位には、ボルト通し孔Ｂ１，Ｂ２が開孔されていて、支持脚３と閉塞板４とが立設された状態で前記ボルト通し孔Ｂ１，Ｂ２にボルトＢを貫通させて締め付け固定することによって、支持脚３による支持状態と閉塞板４による閉塞状態が保持される。
【００１１】
ガイドチューブ５は、可撓性を有し、透水性が無い生分解性樹脂材からなるものである。
また、ガイドチューブ５は、その下半部５１を上半部５２の内側に挿入するように折り返して二重構造にされ、その折り返し端部５３を下端とする一方、ガイドチューブ５の両端部が内外で二重にされた他端部５４を上端としいる。
前記のように二重構造にされたガイドチューブ５は、他端部５４を前記汚物通過孔２１に貫通させるとともに、当該汚物通過孔２１周りの載置板２の上面に着脱可能に固着して吊り下げている。
また、ガイドチューブ５は、載置板２の上面に対し、他端部５４における外側端部５４Ａと内側端部５４Ｂが夫々個別に固着して、個別に取外せるようにされている。
なお、ガイドチューブ５の固着方法については、特に限定するものではなく、例えば、接着や掛止め等で可能である。
【００１２】
便座６は、通常の洋式便器に用いられる周知のＵ型やＯ型(図示ではＯ型)のものであり、跳ね上げ状態及び載置状態に切り替え可能なように前後方向回動可能に軸支されている。
本形態で例示する便座６は、載置板２に対してボルト・ナット等の周知の方法で着脱可能に取り付けられたものであるが、本発明では、便座６を載置板２に対して固定状に取り付けたものでもよい(図示せず)。
ここで、固定状とは、収納時や運搬時に便座を取外すことを想定していないことを意味するものであって、便座が載置板に対して外せないように一体化したものではない。
また、着脱可能とは、収納時や運搬時に便座を取外すことを想定していることを意味するものである。
【００１３】
以上の構成の仮設トイレ１によれば、収納状態や運搬状態では、支持脚３が折り畳まれて前記収納空間Ｓに収納され、更に、閉塞板４が収納空間Ｓを蓋するように折り畳まれて、仮設トイレ１が略箱状を呈するようにされる。
また、前記収納状態や運搬状態の仮設トイレ１を使用状態にする際には、支持脚３と閉塞板４を立設するとともに、両者をボルトＢで締め付け固定する。
次に、ガイドチューブ５を二重構造にし、その折り返し端部５３を下端とし、他端部５４を載置板２の裏面から汚物通過孔２１に挿通するとともに、他端部５４における外側端部５４Ａと内側端部５４Ｂとを汚物通過孔２１周囲の載置板２の上面に夫々個別に固着し、更に、載置板２の上面に便座６を取り付ける。
次に、支持脚３と閉塞板４がマンホールＭの開口部Ｍ１の周縁を囲み、ガイドチューブ５をマンホールＭ内に挿入して設置する。
最後に、設置された仮設トイレ１を囲むように折り畳みテントＴを張ることによって、仮設トイレを個室状態にすることができる。
【００１４】
また、前記のように設置した仮設トイレ１を撤収するには、折り畳みテントＴを畳み仮設トイレ１を露出させる。
次に、ガイドチューブ５の他端部５４における内側端部５４Ｂの固定を外して引き上げながら二重構造を解除した上で、外側端部５４Ａの固定を外してガイドチューブ５を回収する。
このとき、ガイドチューブ５の回収時において汚物Ｏが付着している面が、およそ二重構造を解除したガイドチューブ５の全長の半分になるので、そのガイドチューブ５の回収作業において作業者に対する汚物の付着や不快感を低減することができる。
また、ガイドチューブ５が生分解性樹脂材で構成されているので、使用済みのガイドチューブの廃棄処理において自然に分解されるので、廃棄物による環境破壊の低減ができる。
そして、便座６を外し、支持脚３と閉塞板４を固定するボルトＢとナットＮを外して、支持脚３と閉塞板４を折り畳むことによって、仮設トイレ１が一枚の略板状の収納性や運搬性が良好なコンパクトなものにされる。
【００１５】
なお、例示した形態では、支持脚及び閉塞板を含む載置板と、ガイドチューブと、便座とが別体として、仮設トイレの設置時においてこれらを組み合わせることによって仮設トイレを設置する形態ものを例示しているが、この形態の他に、例えば、支持脚及び閉塞板を含む載置板と、ガイドチューブと、便座とが当初から組み合わされてなるような形態にしてもよい(図示せず)。
この形態の仮設トイレによれば、支持脚とガイドチューブを折り畳んで載置板における収納空間に収納した上で、閉塞板を折り畳んで収納空間を蓋することによりコンパクト化され、設置時には、前記で例示した便座及びガイドチューブの取付け作業が不要であり、より効率的に仮設トイレの設置を行うことができる。
また、仮設トイレの他の形態として、支持脚を省略して閉塞板が支持脚を兼ねるようにしたものも挙げられ、この形態の仮設トイレによっても、より効率的に仮設トイレの設置を行うことができるし、支持脚が省略された分、軽量化が図れる(図示せず)。
また、支持脚が省略された形態の仮設トイレにおいても、載置板と、ガイドチューブと、便座が一体化されたものにしてもよい(図示せず)。
また、本発明は、例示した実施の形態に限定するものでは無く、特許請求の範囲の各項に記載された内容から逸脱しない範囲の構成による実施が可能である。
【図面の簡単な説明】
【００１６】
【図１】本発明の仮設トイレを設置した状態を示す。
【図２】仮設トイレの組立て工程を示す。
【図３】仮設トイレの組立て工程を示す。
【図４】ガイドチューブの取り外し状態を示す。
【図５】仮設トイレの設置の一例を示す。
【符号の説明】
【００１７】
１：仮設トイレ
２：載置板
３：支持脚
４：閉塞板
５：ガイドチューブ
６：便座
２１：汚物通過孔
２２：側壁
５１：下半部
５２：上半部
５３：折り返し端部
５４：他端部
５４Ａ：外側端部
５４Ｂ：内側端部
６１：開放部
Ｓ：収納空間
Ｍ：マンホール
Ｍ１：開口部
Ｏ：汚物
【図１】
2007006955.tif 000003
【図２】
2007006955.tif 000004
【図３】
2007006955.tif 000005
【図４】
2007006955.tif 000006
【図５】
2007006955.tif 000007